(57)【要約】【課題】第１に、速やかに消しゴムを使用でき、もって手間，便利さ，時間，能率等が向上すると共に、第２に、使用に際し筆記具の邪魔にならず、第３に、市販品の消しゴムも使用可能である等、構成が簡単でありコスト面に優れ、第４に、使い易さ等にも優れた、指装着用の消しゴムホルダーを提案する。【解決手段】この消しゴムホルダー１は、鉛筆やシャープペンシル等の筆記具Ａの使用に際し、指先Ｂに装着して使用され、一体連設されたリング部２とホルダー部３を有している。リング部２は、略指輪状の短円筒形状をなし、中指Ｄの指先Ｂに外嵌取付けされる。ホルダー部３は、円筒形状をなし、中指Ｄの爪Ｇと反対側に位置決めされ、消しゴム５が挿入保持されている。消しゴム５は、円柱形状をなし、先端側がホルダー部３から露出している。ホルダー部３は、スリット７が形成され、先端側が傾斜カット８されている。【選択図】図２
2008207476.tif 000002
【特許請求の範囲】
【請求項１】
筆記具の使用に際し、指先に装着して使用される消しゴムホルダーであって、リング部とホルダー部とを有してなり、
該リング部が、指先に取付けられ、該ホルダー部が、消しゴムを挿入保持すること、を特徴とする、指装着用の消しゴムホルダー。
【請求項２】
請求項１に記載した指装着用の消しゴムホルダーにおいて、該筆記具は、鉛筆やシャープペンシルよりなり、
該リング部は、該筆記具を持つ手の中指の指先に外嵌取付けされ、該ホルダー部は、該消しゴムが差し込んで挿入保持されており、該リング部と該ホルダー部とは、一体的に連設されていること、を特徴とする、指装着用の消しゴムホルダー。
【請求項３】
請求項２に記載した指装着用の消しゴムホルダーにおいて、該リング部は、略指輪状の短筒形状をなし、中指の指先の第１関節より先端側に外嵌取付けされ、該ホルダー部は、筒形状をなし、中指の爪と反対側に位置決めされ、
該消しゴムは、先端側が該ホルダー部から外部露出していること、を特徴とする、指装着用の消しゴムホルダー。
【請求項４】
請求項３に記載した指装着用の消しゴムホルダーにおいて、該リング部は、短円筒形状をなし、該ホルダー部は、該リング部より小径の円筒形状をなし、該消しゴムは、円柱形状をなしており、
該リング部と該ホルダー部とは、軸が略平行程度の関係となっていること、を特徴とする、指装着用の消しゴムホルダー。
【請求項５】
請求項４に記載した指装着用の消しゴムホルダーにおいて、該ホルダー部は、軸方向に沿って１本のスリットが形成されていること、を特徴とする、指装着用の消しゴムホルダー。
【請求項６】
請求項５に記載した指装着用の消しゴムホルダーにおいて、該スリットは、該ホルダー部の該リング部との一体連設ラインから、軸廻りで略９０度程度の位置に形成されていること、を特徴とする、指装着用の消しゴムホルダー。
【請求項７】
請求項４に記載した指装着用の消しゴムホルダーにおいて、該ホルダー部は、先端側が傾斜カットされており、
該傾斜カットは、該ホルダー部の軸方向長さが、該リング部との一体連設ライン側が長く、その反対側が短くなるように形成されていること、を特徴とする、指装着用の消しゴムホルダー。
【発明の詳細な説明】
【技術分野】
【０００１】
本発明は、指装着用の消しゴムホルダーに関する。すなわち、筆記具の使用時に、指先に装着して使用される消しゴムホルダーに、関するものである。
【背景技術】
【０００２】
鉛筆やシャープペンシル等の筆記具と、消しゴムとは、従来、別体をなしていた。そこで筆記具の使用中に、途中で消しゴムで字等を消す必要が生じた際は、その都度、手で持ち換える動作を要していた。すなわち、筆記具から一旦手を離してから、消しゴムを手に取る、持ち換え動作を要していた。
又、手元に消しゴムが無く、筆記具の使用中に、途中で消しゴムで字等を消す必要が生じた際は、消しゴムを探すことも多々あった。
これらに鑑み、後端に消しゴムを付設した筆記具も、従来開発されていた。しかしながら、このような消しゴム付の鉛筆やシャープペンシルでは、筆記具の使用中に、途中で消しゴムで字等を消す必要が生じた際は、一旦、筆記用の先端側と、後端側の消しゴムとを、反転させる動作を要していた。
更に、指輪に消しゴムをネジ込んで取り付けた従来例、その他、指を利用して消しゴムを保持するようにした従来例も、開発されている。
【０００３】
このような最近開発された従来例としては、例えば、次の特許文献１に示されたものが挙げられる。
【特許文献１】実開平３−６９９４号公報
【発明の開示】
【発明が解決しようとする課題】
【０００４】
ところで、このような従来例の消しゴム等については、次の問題が指摘されていた。
第１に、まず別体よりなる筆記具と消しゴムとを、必要に応じ持ち換える従来例については、手間がかかり，煩わしく，不便であり，時間も取り，能率が悪い、という問題が指摘されていた。
すなわち、筆記具の使用中に、途中で消しゴムで字等を消す必要が生じた際は、その都度、筆記具と消しゴムとを手で持ち換える動作を要していたので、その分、手間，便利さ，時間，能率面等に、問題があった。
又、手元に消しゴムが見つからないことも多々あり、消しゴムを探す動作を要し、この面からも、手間，便利さ，時間，能率面等に問題が指摘されていた。
更に、消しゴム付の筆記具よりなる従来例については、消しゴムで字等を消す際に、先端と後端とを反転させる動作を要し、その分、手間がかかり，不便であり，時間も取り，能率が悪い、という問題が指摘されていた。
【０００５】
第２に、指輪に消しゴムをネジ込んで取付けた従来例、その他、指を利用して消しゴムを保持すべく開発された従来例については、まず、筆記具を使用中に、その手の指に保持された消しゴムが邪魔になると共に、消しゴムで字を消す時つまり消しゴムの使用時において、その手に持った筆記具が邪魔になる、という問題が指摘されていた。
すなわち、この種従来例は、前述した第１の従来例の問題点を解決すべく開発されたものであるが、いずれも、指に保持された消しゴムが嵩張って、位置的に筆記の邪魔となったり、消しゴムで字等を消す時に、筆記具が邪魔をしてうまく消せない、等々の難点が指摘されていた。
【０００６】
第３に、このように指を利用して消しゴムを保持すべく開発された従来例については、更に、構成が複雑であり、コスト面にも問題が指摘されていた。
特に、この種従来例で使用される消しゴムは、指輪側の保持構造に対応した特殊形状の専用品であることを、要していた。その消しゴムとしては、例えば、保持用にスリット加工されたもの、その他所定形状や大きさのものを、予め製作，準備することを要し、いずれも市販の消しゴムは使用不能とされていた。
【０００７】
本発明の指装着用の消しゴムホルダーは、このような実情に鑑み、上記従来例の課題を解決すべく、開発されたものである。
そして本発明は、第１に、速やかに消しゴムを使用でき、もって手間，便利さ，時間，能率等が向上すると共に、第２に、使用に際し邪魔にならず、第３に、市販品の消しゴムも使用可能である等、構成が簡単でありコスト面に優れ、第４に、使い易さ等にも優れた、指装着用の消しゴムホルダーを提案することを、目的とする。
【課題を解決するための手段】
【０００８】
このような課題を解決する本発明の技術的手段は、次のとおりである。まず、請求項１については、次のとおり。
請求項１の指装着用の消しゴムホルダーは、筆記具の使用に際し指先に装着して使用され、リング部とホルダー部とを有している。そして該リング部が、指先に取付けられ、該ホルダー部が、消しゴムを挿入保持すること、を特徴とする。
請求項２については、次のとおり。請求項２の指装着用の消しゴムホルダーでは、請求項１において、該筆記具は、鉛筆やシャープペンシルよりなる。そして該リング部は、該筆記具を持つ手の中指の指先に外嵌取付けされ、該ホルダー部は、該消しゴムが差し込んで挿入保持されており、該リング部と該ホルダー部とは、一体的に連設されていること、を特徴とする。
【０００９】
請求項３については、次のとおり。請求項３の指装着用の消しゴムホルダーでは、請求２において、該リング部は、略指輪状の短筒形状をなし、中指の指先の第１関節より先端側に外嵌取付けされる。該ホルダー部は、筒形状をなし、中指の爪と反対側に位置決めされる。そして該消しゴムは、先端側が該ホルダー部から外部露出していること、を特徴とする。
請求項４については、次のとおり。請求項４の指装着用の消しゴムホルダーでは、請求求項３において、該リング部は、短円筒形状をなし、該ホルダー部は、該リング部より小径の円筒形状をなし、該消しゴムは、円柱形状をなしている。そして、該リング部と該ホルダー部とは、軸が略平行程度の関係となっていること、を特徴とする。
【００１０】
請求項５については、次のとおり。請求項５の指装着用の消しゴムホルダーでは、請求項４において、該ホルダー部は、軸方向に沿って１本のスリットが形成されていること、を特徴とする。
請求項６については、次のとおり。請求項６の指装着用の消しゴムホルダーでは、請求５において、該スリットは、該ホルダー部の該リング部との一体連設ラインから、軸廻りで略９０度程度の位置に形成されていること、を特徴とする。
請求項７については、次のとおり。請求項７の指装着用の消しゴムホルダーでは、請求項４において、該ホルダー部は、先端側が傾斜カットされている。そして該傾斜カットは、該ホルダー部の軸方向長さが、該リング部との一体連設ライン側が長く、その反対側が短くなるように形成されていること、を特徴とする。
【００１１】
本発明は、このような手段よりなるので、次のようになる。
（１）この消しゴムホルダーは、リング部とホルダー部とを、有している。
（２）又、消しゴムが、ホルダー部に差し込んで挿入保持され、その先端側が、ホルダー部から外部露出している。
（３）そして、この消しゴムホルダーは、代表的には、次のように使用される。すなわち、筆記具の使用に際し、筆記具を持つ手の中指の指先に、消しゴムホルダーのリング部が、外嵌取付けされる。
（４）その際、ホルダー部そして消しゴムは、中指の指先の爪とは反対側に、位置決めされる。
（５）このような消しゴムホルダーの装着に際し、例えば、ホルダー部そして消しゴムが、親指と中指の指先間で挟持される。
（６）そして、筆記具の使用時において、筆記具は、親指と人差し指との間で挟持されている。
（７）その際、消しゴムホルダーのホルダー部そして消しゴムは、屈曲された中指と共に手の平内に内蔵されており、筆記具による筆記の邪魔にはならない。
（８）これに対し、消しゴムの使用時においては、消しゴムホルダーのホルダー部そして消しゴムは、親指と伸ばされた中指の指先間で挟持されると共に、消しゴムの外部露出した先端が、字等を消すべく使用に供される。
（９）その際、筆記具は、人差し指と中指間で挟持されており、消しゴム使用の邪魔にはならない。
（１０）なお、ホルダー部にスリットを形成しておくと、ホルダー部に弾性が付与される。そこで、消しゴムのホルダー部への差し込み，挿入保持が、一段と容易化，スムーズ化される。又、消しゴムの先端側が磨り減った際、消しゴムを軸廻りで回転させたり押し出したりすることが、一段と容易化，スムーズ化される。
（１１）又、ホルダー部の先端下側を傾斜カットしておくと、消しゴムの外部露出した先端下側が磨り減った際において、紙等にホルダー部の先端下側が接触する不具合が解消される。
（１２）さてそこで、本発明の指装着用の消しゴムホルダーは、次の効果を発揮する。
【発明の効果】
【００１２】
第１に、速やかに消しゴムを使用でき、もって手間，便利さ，時間，能率等が向上する。すなわち、本発明の指装着用の消しゴムホルダーでは、筆記具の使用に際し、常時その手の指先に、消しゴムが取付いた状態となっている。
そこで、筆記具の使用中に途中で、消しゴムを使用する必要が生じた場合は、筆記具と消しゴムとは、極めて近い距離で近接位置しており、直ちに速やかに素早く消しゴムを使用することができ、その消しゴムで字等を消すことができる。
前述したこの種従来例のように、筆記具と消しゴムとを持ち換える動作や、消しゴム付の筆記具を反転させる動作や、消しゴムを探す動作等を要せず、その分、手間が省け，便利であり，時間も短縮され，能率が向上する。従って、この消しゴムホルダーは、例えば長時間の学習，事務，筆記，製図等に、最適である。
【００１３】
第２に、使用に際し、邪魔になることもない。すなわち、本発明の指装着用の消しゴムホルダーは、筆記具を持つ手の中指の指先に、リング部が取付けられると共に、消しゴムを挿入保持するホルダー部が、軸平行かつ小径で爪と反対内側に位置している。
そこで、筆記具の使用時において、消しゴムは、手の平内に内蔵された状態となり、筆記の邪魔となることはない。これに対し、消しゴムの使用時において、筆記具は、人差し指と中指で挟持されており、消しゴム使用の邪魔となることはない。このように、筆記具を手に持ったまま離さずとも、支障なく消しゴムを使用できる。
前述したこの種従来例のように、消しゴムが嵩張って、位置的に筆記具による筆記の邪魔となったり、筆記具が消しゴム使用の邪魔となったりすることは、解消される。
【００１４】
第３に、市販品の消しゴムも使用できる等、構成が簡単であり、コスト面に優れている。すなわち、本発明の指装着用の消しゴムホルダーは、略指輪状の短円筒形状等のリング部と、より小径の円筒形状等のホルダー部と、長円柱形状等の消しゴムとからなり、簡単容易な形状，構造，構成よりなり、コスト面に優れている。
特に、消しゴムは市販品を使用可能であり、前述したこの種従来例のように、特殊形状の専用品使用が必須的となることもなく、汎用性に優れている。
【００１５】
第４に、使い易さ等にも優れている。すなわち、本発明の指装着用の消しゴムホルダーは、そのリング部を、筆記具を持つ手の中指に装着するだけで、手軽に使用可能であり、使い易さに優れている。
更に、ホルダー部にスリットを形成しておくと、消しゴムのホルダー部に対する差し込み挿入，回転，押し出し等が、一般と容易化，スムーズ化される。又、ホルダー部の先端下側を傾斜カットしておくと、筆記対象の紙等にホルダー部の先端下側が、直に接触する不具合が解消される。
この消しゴムホルダーは、これらの面からも、使い易さに優れている。
このように、この種従来例に存した課題がすべて解決される等、本発明の発揮する効果は、顕著にして大なるものがある。
【発明を実施するための最良の形態】
【００１６】
以下、本発明の指装着用の消しゴムホルダーを、図面に示した発明を実施するための最良の形態に基づいて、詳細に説明する。図１，図２は、発明を実施するための最良の形態の説明に供する。
そして、図１の（１）図は斜視図、（２）図は平面図である。（３）図は、指先への装着状態の斜視図である。図２の（１）図は、筆記具使用状態の斜視図、（２）図は、消しゴム使用状態の斜視図である。
【００１７】
まず、本発明の指装着用の消しゴムホルダー１の構成等について、説明する。
この消しゴムホルダー１は、筆記具Ａの使用に際し、指先Ｂに装着して使用され、リング部２とホルダー部３とを有している。筆記具Ａとしては、鉛筆やシャープペンシルが代表的である。
消しゴムホルダー１のリング部２は、図１の（３）図等に示したように、指先Ｂに取付けられる。代表的には、筆記具Ａを持つ手Ｃの中指Ｄの指先Ｂの第１関節より先端側に、外嵌取付けされるが、薬指Ｅや小指Ｆの指先Ｂに外嵌取付けすることも可能である。
そしてリング部２は、図１の（１）図，（２）図等に示したように、指輪状の短円筒形状をなす。素材としては、プラスチックや金属が代表的に使用される。なお図示例では、１本のスリット４が軸方向に沿って形成されており、指先Ｂへのリング部２の外嵌取付けが容易化されるようになっている。
次に、消しゴムホルダー１のホルダー部３は、消しゴム５が、差し込んで挿入保持される。
そしてホルダー部３は、図１の（１）図，（２）図等に示したように、筒形状をなし、代表的には、リング部２より遥かに小径の円筒形状をなす。例えば、リング部２の約半分程度の小径よりなり、素材としては、プラスチックや金属が代表的に使用される。なおホルダー部３の筒形状は、円筒以外の各種形状も可能であり、例えば、四角筒形状，三角筒形状，その他の多角筒形状のものも可能である。
【００１８】
ホルダー部３とリング部２との関係については、次のとおり。まず、図１の（１）図，（３）図に示したように、共に筒形状をなす両者は、相互の軸方向が略平行程度、代表的には平行に設定されている。
又、ホルダー部３とリング部２は、同素材を用いて一体形成するのが代表的であるが、同素材又は異種素材を用いてそれぞれを別体形成した後に、一体接合することも可能である。いずれにしても両者は、図１の（１）図，（２）図，（３）図等に示したように、一体連設ライン６で一体的に連設されている。
そしてホルダー部３は、図１の（３）図等に示したように、リング部２が指先Ｂに取り付けられた際、その爪Ｇと反対側に位置決めされる。すなわちホルダー部３は、リング部２が取り付けられた指先Ｂの上側・外側・爪Ｇ側ではなく、指先Ｂの下側・内側・中側に位置決めされる。
【００１９】
次に、消しゴム５は、図１の（３）図等に示したように、このような消しゴムホルダー１のホルダー部３に、差し込んで挿入保持されると共に、その先端側・外方側が、ホルダー部３先端から外部露出している。
消しゴム５の形状や径は、挿入保持用に筒形状をなすホルダー部３に見合った柱状よりなり、代表的には細長の円柱形状をなす。そして消しゴム５は、使用に伴い外部露出した先端側から磨り減って行くので、順次ホルダー部３から押し出されて、磨り減った先端側が補充されて行き、使い尽されると、別途、新しい消しゴム５が差し込まれて、挿入保持され補充される。
【００２０】
なお第１に、図示例のホルダー部３は、図１の各図に示したように、軸方向に沿って１本のスリット７が形成されており、ホルダー部３は、このスリット７の箇所で左右に区画されている。
このスリット７の箇所は、図示のように溝状に空間が存してもよいが、空間無しの密接状態であってもよい。いずれにしてもホルダー部３は、このスリット７により、軸廻りで弾性が付与されており、もって、消しゴム５の差し込みや押し出し等の直線的移動その他が、消しゴム５の脱落防止や挿入保持と両立しつつ、容易に実現可能となる。
なおスリット７は、ホルダー部３のリング部２との一体連設ラインから、軸廻りで略９０度程度の位置に形成されており、代表的には９０度の位置に形成されている。このような位置にスリット７を形成しておくと、図２の（２）図に示したように、中指Ｄと親指Ｈ間にてホルダー部３そして消しゴム５を挟持する際、スリット７が邪魔にならず、親指Ｈによるホルダー部３そして消しゴム５の挟持が、しっかりと確実化する利点がある。
【００２１】
なお第２に、図１の（３）図に示したように、ホルダー部３は、先端側が例えば４５度程度の傾斜角度で、傾斜カット８されている。そして傾斜カット８は、ホルダー部３の軸方向長さが、リング部２との一体連設ライン６側が長く、その反対側が短くなるように形成される。
つまり、この傾斜カット８は、ホルダー部３について、指先Ｂ側・先端上側が長く、先端下側・内側が短くなるように形成されている。もって、ホルダー部３に挿入保持された円柱状の消しゴム５は、外部露出した先端側について、指先Ｂ側・先端上側・外側より先端下側・内側が、より外部露出度が大となるように工夫されている。
本発明の指装着用の消しゴムホルダー１は、このように構成されている。
【００２２】
本発明の指装着用の消しゴムホルダー１は、以上説明したように構成されている。そこで、以下のようになる。
（１）この消しゴムホルダー１は、一体的に連設されたリング部２とホルダー部３とを、有している。リング部２は、短円筒形状等をなし、ホルダー部３は、リング部２より遥かに小径の円筒形状等をなし、両者は、略平行をなしている（図１の（１）図，（２）図を参照）。
【００２３】
（２）これと共に、細長の円柱形状等をなす消しゴム５が、ホルダー部３内に差し込んで挿入保持されており、消しゴム５の先端側がホルダー部３から外部露出している（図１の（３）図を参照）。
【００２４】
（３）そして、このような消しゴムホルダー１は、代表的には、次のように使用される。すなわち、筆記具Ａの使用に際して、鉛筆やシャープペンシル等の筆記具Ａを持つ手Ｃ（多くの場合右手）について、その中指Ｄの指先Ｂの第１関節より先端側に、消しゴムホルダー１のリング部２が、外嵌取付けされる（図１の（３）図を参照）。
【００２５】
（４）その際、ホルダー部３そして消しゴム５は、中指Ｄの指先Ｂの爪Ｇとは反対側、つまり指先Ｂの下側・内側・中側に位置するように、位置決めされる（図１の（３）図を参照）。
【００２６】
（５）図示例では、このように中指Ｄの指先Ｂに装着された消しゴムホルダー１を、つまんだ状態が示されている（図１の（３）図を参照）。すなわち、消しゴムホルダー１のホルダー部３そして消しゴム５が、親指Ｈと中指Ｄの指先Ｂとの間で、軽く挟持されている。
【００２７】
（６）そして、文字等を書く筆記具Ａの使用時において、筆記具Ａは、親指Ｈと人差し指Ｊ間で挟持して使用される（図２の（１）図を参照）。中指Ｄに関しては、その側面に筆記具Ａが、サポート的にあてがわれているに過ぎない。
【００２８】
（７）このような筆記具Ａの使用に際し、中指Ｄの指先Ｂに装着された消しゴムホルダー１、特にそのホルダー部３そして消しゴム５は、屈曲された中指Ｄと共に手Ｃの平内に、内蔵された状態となっており、もって消しゴム５が、筆記具Ａによる紙Ｋ等への筆記の邪魔になることはない（図２の（１）図を参照）。
【００２９】
（８）これに対し、消しゴム５の使用時においては、消しゴムホルダー１のホルダー部３そして消しゴム５は、親指Ｈと伸ばされた中指Ｄの指先Ｂ間で、挟持される。そして、消しゴム５の外部露出した先端が、紙Ｋ等の筆記対象に当てられ、もって、紙Ｋ等に書かれた文字等をこすって消すべく使用される（図２の（２）図を参照）。
【００３０】
（９）このような消しゴム５の使用に際し、筆記具Ａは、より上位に位置して、人差し指Ｊと中指Ｄの奥間で挟持されており、もって筆記具Ａが、紙Ｋ等に接触する下位における消しゴム５使用の邪魔になることはない（図２の（２）図を参照）。
【００３１】
（１０）なお第１に、図示のように、ホルダー部３にスリット７を形成しておくと、ホルダー部３による消しゴム５の挿入保持に、弾性が付与されるようになる（図１の（１）図，（２）図，（３）図を参照）。つまりホルダー部３は、挿入された消しゴム５を、周囲からの圧力や摩擦力にて脱落しないように保持するが、これと共に、形成されたスリット部７にて軸廻りで弾性が付与される。
そこで、まず準備段階において、消しゴム５をホルダー部３に対し差し込み挿入保持するための直線移動が、このようなスリット７による弾性に基づき、一段と容易化，スムーズ化される。
又、使用により、消しゴム５の外部露出した先端側が磨り減った際、このようなスリット７による弾性に基づき、消しゴム５の磨り減った側つまり下側を、上側に軸廻りで回転移動させたり、消しゴム５の先端側全体が外部露出するように、直線移動させて押し出したりする動作が、一段と容易化，スムーズ化される。
【００３２】
（１１）なお第２に、図示のように、ホルダー部３の先端下側を傾斜カット８しておくと（図１の（３）図を参照）、次のようになる。
すなわち使用により、消しゴム５の外部露出した先端下側が、使用進行に伴い磨り減った際、筆記対象の紙Ｋ等に対し、ホルダー部３の先端下側が接触する不具合が、当面解消されるようになる。
【図面の簡単な説明】
【００３３】
【図１】本発明に係る指装着用の消しゴムホルダーについて、発明を実施するための最良の形態の説明に供し、（１）図は、斜視図であり、（２）図は、平面図である。（３）図は、指先への装着状態の斜視図である。
【図２】同発明を実施するための最良の形態の説明に供し、（１）図は、筆記具使用状態の斜視図、（２）図は、消しゴム使用状態の斜視図である。
【符号の説明】
【００３４】
１  消しゴムホルダー
２  リング部
３  ホルダー部
４  スリット
５  消しゴム
６  一体連設ライン
７  スリット
８  傾斜カット
Ａ  筆記具
Ｂ  指先
Ｃ  手
Ｄ  中指
Ｅ  薬指
Ｆ  小指
Ｇ  爪
Ｈ  親指
Ｊ  人差し指
Ｋ  紙
【図１】
2008207476.tif 000003
【図２】
2008207476.tif 000004